(57)【要約】  本発明の実施形態は、一般に、多次元アンテナ・アレイのチャネル測定およびチャネル・フィードバックのための方法および装置に関する。詳細には、本発明の実施形態によれば、主要な発明の発想は、多次元アンテナ・アレイを備えた基地局が、複数のクラスのＣＳＩ−ＲＳを構成することを許すことであり、各クラスのＣＳＩ−ＲＳは、ＵＥにおけるチャネル測定において多次元アンテナ・アレイの異なる次元のために使用されることを目的とする。次に、基地局が、その生成された構成情報をＵＥに送信し、したがって、ＵＥが、異なる次元に固有のチャネル測定を、例えば、異なる次元に関するチャネル測定のために異なるコードブックを選択することによって実行することが可能である。このようにして、多次元アンテナ・アレイのチャネル測定精度を高め、測定フィードバック・オーバーヘッドを低減し、さらにシステム性能を向上させることが可能である。
2014531144.tif 000002
【特許請求の範囲】
【請求項１】
ワイヤレス通信システムにおける多次元アンテナ・アレイのチャネル測定およびチャネル・フィードバックを可能にするための方法であって、
少なくとも２つのクラスのチャネル状態情報基準信号（ＣＳＩ−ＲＳ）に関する構成情報を生成するステップであって、該少なくとも２つのクラスのＣＳＩ−ＲＳは、ユーザ機器におけるチャネル測定の際に前記多次元アンテナ・アレイの異なる次元のために使用される、生成するステップと、
前記ユーザ機器が前記構成情報に応じて前記少なくとも２つのクラスのＣＳＩ−ＲＳを受信できるように、前記構成情報を前記ユーザ機器に送信するステップと、を備える、方法。
【請求項２】
前記構成情報は、前記少なくとも２つのクラスのＣＳＩ−ＲＳが同一のサブフレーム内で同時に前記ユーザ機器に送信されることを示す、請求項１に記載の方法。
【請求項３】
前記構成情報は、前記少なくとも２つのクラスのＣＳＩ−ＲＳが異なるサブフレーム内で交互に前記ユーザ機器に送信されることを示す、請求項１に記載の方法。
【請求項４】
前記構成情報は、前記少なくとも２つのクラスのＣＳＩ−ＲＳが、等しいサイクルによって異なるサブフレーム内で前記ユーザ機器に送信されることを示す、請求項３に記載の方法。
【請求項５】
前記構成情報は、前記少なくとも２つのクラスのＣＳＩ−ＲＳが、異なるサイクルによって異なるサブフレーム内で前記ユーザ機器に送信されることを示す、請求項３に記載の方法。
【請求項６】
ワイヤレス通信システムにおける多次元アンテナ・アレイのチャネル測定およびチャネル・フィードバックを可能にするための方法であって、
基地局から、少なくとも２つのクラスのチャネル状態情報基準信号（ＣＳＩ−ＲＳ）に関する構成情報を受信するステップであって、前記少なくとも２つのクラスのＣＳＩ−ＲＳの各々は、チャネル測定の際に前記多次元アンテナ・アレイの異なる次元のために使用される、受信するステップと、
前記多次元アンテナ・アレイの異なる次元に関するチャネル測定を実行して、フィードバックするために、前記構成情報に応じて前記基地局から前記少なくとも２つのクラスのＣＳＩ−ＲＳを受信するステップと、を備える、方法。
【請求項７】
前記構成情報に応じて前記基地局から前記少なくとも２つのクラスのＣＳＩ−ＲＳを受信する前記ステップは、前記構成情報に応じて前記基地局から前記少なくとも２つのクラスのＣＳＩ−ＲＳを同一のサブフレーム内で同時に受信するステップを備える、請求項６に記載の方法。
【請求項８】
前記構成情報に応じて前記基地局から前記少なくとも２つのクラスのＣＳＩ−ＲＳを受信する前記ステップは、前記構成情報に応じて前記基地局から前記少なくとも２つのクラスのＣＳＩ−ＲＳを異なるサブフレーム内で交互に受信するステップを備える、請求項６に記載の方法。
【請求項９】
前記構成情報に応じて前記基地局から前記少なくとも２つのクラスのＣＳＩ−ＲＳを異なるサブフレーム内で前記交互に受信する前記ステップは、前記構成情報に応じて前記基地局から前記少なくとも２つのクラスのＣＳＩ−ＲＳを、等しいサイクルによって異なるサブフレーム内で受信するステップを備える、請求項８に記載の方法。
【請求項１０】
前記構成情報に応じて前記基地局から前記少なくとも２つのクラスのＣＳＩ−ＲＳを異なるサブフレーム内で前記交互に受信する前記ステップは、前記構成情報に応じて前記基地局から前記少なくとも２つのクラスのＣＳＩ−ＲＳを、異なるサイクルによって異なるサブフレーム内で受信するステップを備える、請求項８に記載の方法。
【請求項１１】
前記多次元アンテナ・アレイの異なる次元に関する前記チャネル測定は、異なるコードブックを選択することによって実行される、請求項６に記載の方法。
【請求項１２】
前記多次元アンテナ・アレイの異なる次元に関する前記チャネル測定のために使用されるコードブックは、それぞれのコードワード・サブセット制約に応じて共通のコードブックから導き出される、請求項１１に記載の方法。
【請求項１３】
前記多次元アンテナ・アレイの垂直次元に関するチャネル測定のために使用されるコードブックは、前記共通のコードブックからのコードブック・サブセットであり、前記コードブック・サブセットは、離散フーリエ変換（ＤＦＴ）コードブックに準拠する、請求項１２に記載の方法。
【請求項１４】
ワイヤレス通信システムにおける多次元アンテナ・アレイのチャネル測定およびチャネル・フィードバックを可能にするための装置であって、
少なくとも２つのクラスのチャネル状態情報基準信号（ＣＳＩ−ＲＳ）に関する構成情報を生成するための構成情報生成手段であって、該少なくとも２つのクラスのＣＳＩ−ＲＳの各々は、ユーザ機器におけるチャネル測定の際に前記多次元アンテナ・アレイの異なる次元のために使用される、構成情報生成手段と、
前記構成情報を前記ユーザ機器に送信して、前記ユーザ機器が、前記構成情報に応じて前記少なくとも２つのクラスのＣＳＩ−ＲＳを受信するようにするための構成情報送信手段と、を備える装置。
【請求項１５】
ワイヤレス通信システムにおける多次元アンテナ・アレイのチャネル測定およびチャネル・フィードバックを可能にするための装置であって、
基地局から、少なくとも２つのクラスのチャネル状態情報基準信号（ＣＳＩ−ＲＳ）に関する構成情報を受信するための構成情報受信手段であって、前記少なくとも２つのクラスのＣＳＩ−ＲＳの各々は、チャネル測定の際に前記多次元アンテナ・アレイの異なる次元のために使用される、構成情報受信手段と、
前記多次元アンテナ・アレイの異なる次元に関するチャネル測定を実行して、フィードバックするために、前記構成情報に応じて前記基地局から前記少なくとも２つのクラスのＣＳＩ−ＲＳを受信するための基準信号受信手段と、を備える装置。
【発明の詳細な説明】
【技術分野】
【０００１】
本発明の実施形態は、一般に、ワイヤレス通信分野に関し、より詳細には、多次元アンテナ・アレイのチャネル測定およびチャネル・フィードバックのための方法および装置に関する。
【背景技術】
【０００２】
第３世代パートナーシッププロジェクト（３ＧＰＰ）のロングターム・エボリューション（ＬＴＥ）／ロングターム・エボリューション・アドバンスト（ＬＴＥ−Ａ）標準およびシステム（例えば、ＬＴＥ−Ａ  Ｒ１０システム）は、現在、主に１次元アンテナ・アレイ（例えば、一様な直線アレイ）のために定義され、設計されている。そのような標準およびシステムにおいては、水平面におけるアンテナ信号の発信および着信の方位角だけが考慮に入れられる。つまり、既存のスキームにおいて、システム・チャネル測定およびシステム・フィードバックの設計は、単に単一次元のアンテナ・アレイ想定だけに基づき、このことは、水平信号伝播指向性だけしか考慮に入れられないことを意味する。
【０００３】
しかし、実際の適用環境において、アンテナ信号は、３次元様式で空間内を伝播する。この特性は、高層ビルの密度がますます高くなる都市部で特に顕著である。アンテナ信号の空間伝播モードに通信システムのチャネルおよびアンテナの設計をよりうまく適応させるのに、多次元空間チャネルモデルおよび多次元空間アンテナ・アレイが、次第に関心を集めている。既存の１次元アンテナ・アレイによってもたらされる水平カバレッジに基づいて、多次元アンテナ・アレイは、他の方向における、または他の次元における信号カバレッジをさらに考慮することが可能である。例として、２次元アンテナ・アレイまたは３次元アンテナ・アレイにおいて、アンテナ・アレイの送信信号または受信信号の水平属性だけでなく、トランシーバ信号の垂直属性もまた、考慮に入れられることが可能である。
【０００４】
多次元チャネルおよび多次元アンテナ・アレイのために設計された、いくつかの技法が存在する。例えば、多次元アンテナ・アレイのための垂直ビーム形成、垂直セクタ化、および垂直プリコーディングなどの技法が提案されている。これらすべての技法は、基地局（３ＧＰＰにおいてｅＮＢとも呼ばれる）においてチャネル情報を、主に垂直方向における仰角を獲得することを要求する。そのような種類の仰角は、一般に、アップリンクの基準信号またはトラフィック信号から推定され、さらにダウンリンクのために使用されることが可能である。しかし、周波数分割逆多重化（ＦＤＤ）システムのような最新の通信システムにおいて、アップリンクとダウンリンクは、周波数オフセットのために対称的ではない。したがって、仰角推定誤差が、システム性能に影響を及ぼす可能性がある。
【０００５】
別の種類の実現可能なソリューションは、ユーザ機器（ＵＥ）が、アンテナ・アレイに関する多次元チャネル測定をオンデマンドで実行し、さらにこの多次元チャネル測定の結果を、アップリンクを介して基地局に直接に供給することである。しかし、現在、知られている標準はすべて、１次元アンテナ・アレイの測定およびフィードバックのために設計され、開発されており、このため、多次元アンテナ・アレイのチャネル測定およびチャネル・フィードバックのためには効率的に使用され得ない。例えば、ＵＥは、受信されたチャネル状態情報基準信号（ＣＳＩ−ＲＳ）に応じてチャネル推定およびコードブック・コードワード選択を実行し、その後、基地局にプリコーディング行列指示（ｐｒｅｃｏｄｉｎｇ  ｍａｔｒｉｘ  ｉｎｄｉｃａｔｉｏｎ）（ＰＭＩ）を送信することによってチャネルＣＳＩ測定結果をフィードバックすることができることが知られている。しかし、現行の３ＧＰＰ  ＬＴＥ／ＬＴＥ−Ａ標準は、単一次元のアンテナ・アレイのＣＳＩフィードバック・ポリシーだけしかサポートせず、すなわち、各チャネル・フィードバック・サブフレーム内で単一次元のアンテナ・アレイＣＳＩに関するＰＭＩコードワードを戻す。このため、現行のシステムのチャネル測定およびチャネル・フィードバックの標準は、多次元アンテナ・アレイに当てはまる多次元チャネル状態情報を基地局デバイスにフィードバックすることができない。
【０００６】
したがって、既存のソリューション／システムに対する影響を可能な限り抑えながら、多次元アンテナ・アレイのチャネル測定およびチャネル・フィードバックを効率的に、正確に可能にするための技術的ソリューションの必要性が存在する。
【発明の概要】
【発明が解決しようとする課題】
【０００７】
当技術分野における前述の問題を解決するために、本発明の実施形態は、多次元アンテナ・アレイのチャネル測定およびチャネル・フィードバックのためのソリューションを提案する。
【課題を解決するための手段】
【０００８】
本発明の中核の発想は、多次元アンテナ・アレイを備えた基地局が、複数のクラスのＣＳＩ−ＲＳを構成することを許すことであり、各クラスのＣＳＩ−ＲＳは、ＵＥにおけるチャネル測定において多次元アンテナ・アレイの異なる次元のために使用されることを目的とする。次に、基地局が、その生成された構成情報をＵＥに送信し、したがって、ＵＥが、異なる次元に対して固有のチャネル測定を実行することが可能である（例えば、異なる次元に関するチャネル測定のために異なるコードブックを選択することによって）。このようにして、多次元アンテナ・アレイのチャネル測定精度を高め、測定フィードバック・オーバーヘッドを低減し、さらにシステム性能を向上させることが可能である。
【０００９】
本発明の第１の態様によれば、ワイヤレス通信システムにおける多次元アンテナ・アレイのチャネル測定およびチャネル・フィードバックを可能にするための方法が提供される。この方法は、少なくとも２つのクラスのチャネル状態情報基準信号（ＣＳＩ−ＲＳ）に関する構成情報を生成し、この少なくとも２つのクラスのＣＳＩ−ＲＳのそれぞれは、ユーザ機器におけるチャネル測定の際に多次元アンテナ・アレイの異なる次元のために使用されることを目的とすること、およびその構成情報をユーザ機器に送信して、ユーザ機器が、その構成情報に基づいてその少なくとも２つのクラスのＣＳＩ−ＲＳを受信するようにすることを備える。
【００１０】
本発明の第２の態様によれば、ワイヤレス通信システムにおける多次元アンテナ・アレイのチャネル測定およびチャネル・フィードバックを可能にするための方法が提供される。この方法は、基地局から少なくとも２つのクラスのチャネル状態情報基準信号（ＣＳＩ−ＲＳ）のための構成情報を受信し、この少なくとも２つのクラスのＣＳＩ−ＲＳのそれぞれは、チャネル測定において多次元アンテナ・アレイの異なる次元のために使用されることを目的とすること、および多次元アンテナ・アレイの異なる次元に関するチャネル測定を実行して、フィードバックするために、その構成情報に応じて基地局からその少なくとも２つのクラスのＣＳＩ−ＲＳを受信することを備える。
【００１１】
本発明の第３の態様によれば、ワイヤレス通信システムにおける多次元アンテナ・アレイのチャネル測定およびチャネル・フィードバックを可能にするための装置が提供される。この装置は、少なくとも２つのクラスのチャネル状態情報基準信号（ＣＳＩ−ＲＳ）のための構成情報を生成するための構成情報生成手段であり、当該少なくとも２つのクラスのＣＳＩ−ＲＳのそれぞれは、ユーザ機器におけるチャネル測定の際に多次元アンテナ・アレイの異なる次元のために使用される、構成情報生成手段と、その構成情報をユーザ機器に送信して、ユーザ機器が、その構成情報に基づいてその少なくとも２つのクラスのＣＳＩ−ＲＳを受信するようにするための構成情報送信手段とを備える。
【００１２】
本発明の第４の態様によれば、ワイヤレス通信システムにおける多次元アンテナ・アレイのチャネル測定およびチャネル・フィードバックを可能にするための装置が提供される。この装置は、基地局から少なくとも２つのクラスのチャネル状態情報基準信号（ＣＳＩ−ＲＳ）のための構成情報を受信するための構成情報受信手段であって、当該少なくとも２つのクラスのＣＳＩ−ＲＳのそれぞれは、チャネル測定において多次元アンテナ・アレイの異なる次元のために使用される、構成情報受信手段と、多次元アンテナ・アレイの異なる次元に関するチャネル測定を実行して、フィードバックするために、その構成情報に応じて基地局からその少なくとも２つのクラスのＣＳＩ−ＲＳを受信するための基準信号受信手段と、を備える。
【００１３】
本発明の実施形態の前述、およびその他の目的、特徴、および利点は、図を参照して後段の詳細な説明からより容易に理解されよう。図では、本発明のいくつかの実現可能な実施形態が、限定としてではなく、例として示される。
【図面の簡単な説明】
【００１４】
【図１】本発明の例示的な実施形態によるワイヤレス通信システムにおける多次元アンテナのチャネル測定およびチャネル・フィードバックを可能にするための方法１００を示す流れ図である。
【図２】本発明の例示的な実施形態によるワイヤレス通信システムにおける多次元アンテナのチャネル測定およびチャネル・フィードバックを可能にするための方法２００を示す流れ図である。
【図３Ａ】ＣＳＩ−ＲＳが異なるサブフレーム内で交互に送信されるフレーム構造を示す概略図である。
【図３Ｂ】ＣＳＩ−ＲＳが異なるサブフレーム内で交互に送信されるフレーム構造を示す概略図である。
【図４】本発明の例示的な実施形態によるワイヤレス通信システムにおける多次元アンテナのチャネル測定およびチャネル・フィードバックを可能にするための方法４００を示す流れ図である。
【図５】本発明の例示的な実施形態によるワイヤレス通信システムにおける多次元アンテナのチャネル測定およびチャネル・フィードバックを可能にするための方法５００を示す流れ図である。
【図６】本発明の例示的な実施形態によるワイヤレス通信システムにおける多次元アンテナのチャネル測定およびチャネル・フィードバックを可能にするための装置６００を示すブロック図である。
【図７】本発明の例示的な実施形態によるワイヤレス通信システムにおける多次元アンテナのチャネル測定およびチャネル・フィードバックを可能にするための装置７００を示すブロック図である。
【発明を実施するための形態】
【００１５】
同様の参照符号、または対応する参照符号は、これらの図のすべてにわたって同一の内容もしくは部分、または対応する内容もしくは部分を表す。
【００１６】
本発明の実施形態の詳細な説明が、図を参照することによって以下に提示される。前述し、さらに以下に詳細に説明されるとおり、本発明の実施形態によれば、多次元アンテナ・アレイを備えた基地局が、複数のクラスのＣＳＩ−ＲＳを構成することを許され、各クラスのＣＳＩ−ＲＳは、ユーザ機器（ＵＥ）においてアンテナ・アレイの異なる次元に関するチャネル測定のために使用される。その後、基地局が、その生成された構成情報をＵＥに送信して、ＵＥが、例えば、異なる次元に関するチャネル測定のために異なるコードブックを選択して、異なる次元に固有のチャネル測定を実行することを許すことが可能である。このようにして、多次元アンテナ・アレイのチャネル測定精度を高め、測定フィードバック・オーバーヘッドを低減し、システム性能をさらに向上させることが可能である。
【００１７】
本出願の脈絡において、いわゆる多次元アンテナ・アレイは、基地局またはｅノードＢにおいて展開されることに留意されたい。
【００１８】
ここで図１を参照すると、図１は、本発明の実施形態によるワイヤレス通信システムにおける多次元アンテナ・アレイのチャネル測定およびチャネル・フィードバックを可能にするための方法１００の流れ図を示す。方法１００は、通信システムにおける基地局側で実施されること、例えば、基地局または関連する構成要素によって実施されることが可能である。詳細には、この基地局は、多次元アンテナ・アレイ、例えば、３次元アンテナ・アレイを備える。
【００１９】
方法１００が開始した後、ステップＳ１０２で、少なくとも２つのクラスのチャネル状態情報基準信号（ＣＳＩ−ＲＳ）のための構成情報が生成され、各クラスのＣＳＩ−ＲＳは、多次元アンテナ・アレイの異なる次元に関するＵＥにおけるチャネル測定のためにＵＥに送信される。従来技術とは異なり、基地局は、単一の次元に関するチャネル測定に関してＣＳＩ−ＲＳを構成し、送信するだけでなく、異なる次元に関するチャネル測定のために少なくとも２つのクラスのＣＳＩ−ＲＳを構成することも可能である。
【００２０】
本出願の脈絡において、チャネル状態情報基準信号ＣＳＩ−ＲＳは、ＬＴＥ−Ａ  Ｒ１０において定義されるＣＳＩ推定のためのセル専用パイロット（ＣＱＩ／ＰＭＩ／ＲＩ）、若しくは、現在知られている又は将来開発される任意の適切なダウンリンク基準信号であることが可能であることに留意されたい。本発明の範囲は、これに関して限定されない。
【００２１】
各クラスのＣＳＩ−ＲＳに関して、ステップＳ１０２で生成される構成情報は、以下に限定されることなしに、そのようなクラスのＣＳＩ−ＲＳを送信するサブフレームに関する情報、例えば、そのＣＳＩ−ＲＳを送信するサブフレームのオフセット、そのようなＣＳＩ−ＲＳの伝送サイクル、そのようなＣＳＩ−ＲＳに関するチャネル測定をフィードバックする際にＵＥによって使用されるコードブック、ＣＳＩ−ＲＳによって使用される物理的リソースなどのうちの少なくとも１つを含むことが可能である。
【００２２】
その後、方法１００は、ステップＳ１０４に進み、ステップＳ１０２で生成された構成された情報がユーザ機器（ＵＥ）に送信される。本発明の実施形態によれば、基地局は、現在知られている又は将来開発される任意の適切なシグナリングを使用することによってＣＳＩ−ＲＳ構成情報を送信することが可能である。その後の動作において、基地局は、その構成情報に応じてＵＥに少なくとも２つのクラスのＣＳＩ−ＲＳを送信する。したがって、基地局から受信されるその少なくとも２つのクラスのＣＳＩ−ＲＳに関する構成に応じて、ＵＥは、基地局から、異なる次元に関してチャネル測定を実行する異なるクラスのＣＳＩ−ＲＳを受信することが可能であり、このことは、後段で詳細に説明される。
【００２３】
方法１００は、ステップＳ１０４の後、終了する。このため、基地局は、異なる次元に関するチャネル測定のために少なくとも２つのクラスのＣＳＩ−ＲＳを構成し、さらにその構成情報をＵＥに送信することが可能である。このようにして、ＵＥは、異なるクラスのＣＳＩ−ＲＳに応じて異なる次元に関するチャネル測定を実行し（例えば、異なる次元に関するチャネル測定のために異なるコードブックを選択するなどして）、測定結果をフィードバックすることが可能である。
【００２４】
ここで図２を参照して、基地局側で実行される動作が、より詳細な例示的な実施形態によってさらに例示される。図２は、本発明の実施形態によるワイヤレス通信システムにおける多次元アンテナ・アレイのチャネル測定およびチャネル・フィードバックを可能にするための方法２００の流れ図を示す。方法１００と同様に、方法２００もまた、多次元アンテナ・アレイを備えた基地局側で実行される。方法２００は、方法１００の特定の改良された実施形態と見なされ得る。
【００２５】
方法２００が開始した後、少なくとも２つのクラスのチャネル状態情報基準信号ＣＳＩ−ＲＳの構成情報が、ステップＳ２０２で生成され、各クラスのＣＳＩ−ＲＳは、ＵＥにおける多次元アンテナ・アレイの異なる次元に関するチャネル測定において使用されるようにＵＥに送信される。方法２００のステップＳ２０２は、方法１００のステップＳ１０２に対応するものと理解されることが可能であり、したがって、対応する特徴および詳細をここで詳しく説明することはしない。
【００２６】
詳細には、本発明のいくつかの実施形態によれば、ステップＳ２０２で生成された構成情報は、少なくとも２つのクラスのＣＳＩ−ＲＳが同一のサブフレーム内で同時にユーザ機器に送信されることを示すことが可能である。例えば、基地局は、各クラスのＣＳＩ−ＲＳが同一のサブフレーム（例えば、同一のサブフレーム・オフセットを有する）内でＵＥに送信されるように、異なる次元に関するチャネル測定のために異なるクラスのＣＳＩ−ＲＳを構成することが可能である。これらの実施形態において、ＵＥは、異なるＣＳＩ−ＲＳを同一のサブフレーム内で同時に受信する。その後、ＵＥは、そのＣＳＩ−ＲＳの中の特定のパラメータおよび情報に応じて、同時に、異なる次元における多次元アンテナ・アレイに関するチャネル測定を実行し、測定フィードバックを基地局に供給することが可能であり、このことは、後段で詳細に説明される。
【００２７】
代替として、他の実施形態において、ステップＳ２０２で生成された構成情報は、異なるクラスのＣＳＩ−ＲＳが異なるサブフレーム内で交互に送信されることを示すことが可能である。例えば、基地局は、それぞれのクラスのＣＳＩ−ＲＳが、１つのフレームの異なるサブフレーム（例えば、異なるサブフレーム・オフセットを有する）内でＵＥに送信されるように、異なる次元に関するチャネル測定のために異なるクラスのＣＳＩ−ＲＳを構成することが可能である。つまり、異なる次元に関するチャネル測定のために使用されるべきＣＳＩ−ＲＳは、ＵＥに交互に送信される。これらの実施形態において、ＵＥは、異なるクラスのＣＳＩ−ＲＳを異なるサブフレーム内で交互に受信し、さらに対応する次元で多次元アンテナ・アレイに関するチャネル測定を実行する。その後、ＵＥは、チャネル測定フィードバックを基地局に交互に供給することもし、このことは、後段で詳細に説明される。
【００２８】
詳細には、異なるクラスのＣＳＩ−ＲＳが異なるサブフレーム内で交互に送信される際、基地局は、異なるクラスのＣＳＩ−ＲＳを送信するためのサイクルが等しいように構成情報を生成することが可能である。つまり、異なるクラスのＣＳＩ−ＲＳに関して、連続する２つのＣＳＩ−ＲＳ伝送の合間の間隔の長さは等しい。例えば、図３Ａを参照すると、この図は、そのようなフレーム構造の概略図を示す。図３Ａに示される実施形態において、第１のクラスのＣＳＩ−ＲＳ（ＣＳＩ−ＲＳ−１として示される）のオフセットは、１サブフレームであり、第２のクラスのＣＳＩ−ＲＳ（ＣＳＩ−ＲＳ−２として示される）のオフセットは、６サブフレームである。これら異なる２つのクラスのＣＳＩ−ＲＳの伝送サイクルは両方とも１０サブフレームである。
【００２９】
代替として、異なるクラスのＣＳＩ−ＲＳが異なるサブフレーム内で交互に送信される際、基地局は、異なるクラスのＣＳＩ−ＲＳを送信するためのサイクルが異なるように構成情報を生成してもよい。つまり、異なるクラスのＣＳＩ−ＲＳに関して、連続する２つのＣＳＩ−ＲＳ伝送の合間の間隔の長さは、等しくない。例えば、図３Ｂを参照すると、この図は、そのようなフレーム構造の概略図を示す。図３Ｂに示される例において、第１のクラスのＣＳＩ−ＲＳ（ＣＳＩ−ＲＳ−１として示される）のオフセットは、１サブフレームであり、第１のクラスのＣＳＩ−ＲＳの伝送サイクルは、５サブフレームであり、第２のクラスのＣＳＩ−ＲＳ（ＣＳＩ−ＲＳ−２として示される）のオフセットは、３サブフレームであり、第２のクラスのＣＳＩ−ＲＳの伝送サイクルは、１０サブフレームである。
【００３０】
いくつかの場合、図３Ｂに示される実施形態が有利であり得る。例えば、多次元アンテナ・アレイにおける水平チャネル測定および垂直チャネル測定を考慮すると、垂直チャネル属性は、一般に、水平チャネル属性と比べてより安定していることが理解され得る。詳細には、水平信号拡散と比べて、信号垂直ＡｏＤは、劇的に変化することはない。この点で、図３Ｂに示されるスキームが選好され、すなわち、垂直チャネル測定のためのＣＳＩ−ＲＳの伝送サイクルは、水平チャネル測定のためのＣＳＩ−ＲＳの伝送サイクルと比べてより大きく設定される。このようにして、多次元チャネル測定を確実にしながら、システム・オーバーヘッドを可能な限り低減することが可能である。
【００３１】
やはり図２を参照すると、方法２００は、ステップＳ２０４に進み、ステップＳ２０２で生成された構成情報がＵＥに送信され、したがって、ＵＥが、この構成情報に基づいて、多次元チャネルの測定およびフィードバックのための少なくとも２つのクラスのＣＳＩ−ＲＳを受信する。ステップＳ２０４で、現在知られている又は将来開発される様々な適切な手段が、ＣＳＩ−ＲＳ構成情報を送信するために使用されることが可能である。例えば、ＬＴＥ／ＬＴＥ−Ａ標準における既存のシグナリングを少なくとも部分的に使用して、ＣＳＩ−ＲＳ構成情報を送信することが可能である。ほとんどの事例において、多次元アンテナ・アレイに関するチャネル測定は、水平次元に関するチャネル測定を含むことが理解され得る。その一方で、既存のＬＴＥ／ＬＴＥ−Ａシステムは、水平チャネル測定のためのＣＳＩ−ＲＳ構成シグナリングを定義している。この場合、既存の標準のシグナリングが、水平ＣＳＩ−ＲＳ構成を送信するのに使用されることが可能であり、その一方で、さらなるシグナリングが、他の次元（例えば、垂直次元）のＣＳＩ−ＲＳ構成を送信するのに使用される。このようにして、既存のシステムと適合することが、最大限、確実にされ得る。
【００３２】
ステップＳ２０６で、基地局が、ステップＳ２０２で生成された構成情報に応じて少なくとも２つのクラスのＣＳＩ−ＲＳをＵＥに送信することが可能である。詳細には、ステップＳ２０２で生成された構成に応じて、基地局は、ステップＳ２０６で、複数のクラスのＣＳＩ−ＲＳを同一のサブフレーム内でＵＥに同時に送信すること、または複数のクラスのＣＳＩ−ＲＳをステップＳ２０６の異なるサブフレーム内で交互にＵＥに送信することが可能である。さらに、異なるクラスのＣＳＩ−ＲＳが異なるサブフレーム内で交互に送信される場合、それらのクラスのＣＳＩ−ＲＳの伝送サイクルは、同一であっても、異なっていてもよく、このことは、適用要件およびその他の要因に応じて動的に設定され得る。
【００３３】
本発明の実施形態によれば、各クラスのＣＳＩ−ＲＳの特定の内容は、現在知られている又は将来開発される任意の適切な技術的手段を使用して決定されることが可能である。例として、３次元アンテナ・アレイを考慮して、チャネル測定が、その３次元アンテナ・アレイ上で水平次元および垂直次元において実行されるものと想定されたい。この３次元アンテナ・アレイは、Ｎ個のコラム（Ｎは、自然数である）を有するアンテナ・アレイであり、各コラムのアンテナ・アレイは、Ｍ個の送信／受信（ＴＸ／ＲＸ）アンテナから成るものとさらに想定されたい。本発明の実施形態によれば、この３次元アンテナ・アレイは、適切なＣＳＩ−ＲＳポートを介して物理アンテナ・マッピングへと、垂直アンテナ・ポートおよび水平アンテナ・ポートから成るアレイに仮想化され得る。このようにして、水平アンテナ・ポートおよび垂直アンテナ・ポートに関するそれぞれのＣＳＩ−ＲＳが生成されることが可能である。
【００３４】
詳細には、この３次元アンテナ・アレイのＣＳＩ−ＲＳポート数がＮＶに設定される、すなわち、３次元アンテナ・アレイを備えた基地局が、多くてもＮＶ個のデータ・ストリームを送信する。本発明の実施形態によれば、基地局は、ＣＳＩ−ＲＳポートをマッピングするために水平直線アレイおよび垂直直線アレイから物理ポートを選択することが可能であり、水平物理アンテナ数および垂直物理アンテナ数は、ＮＶ以上である。水平ＣＳＩ−ＲＳポート数および垂直ＣＳＩ−ＲＳポート数を含む異なるクラスのＣＳＩ−ＲＳの構成情報が、基地局によってＵＥに知らせられることが可能である。
【００３５】
本発明の実施形態によれば、異なる次元に関するＣＳＩ−ＲＳが、システム仕様において定義される同一のＣＳＩ−ＲＳパターンを使用して送信されることが可能であることに留意されたい。しかし、ＣＳＩ−ＲＳ内容は、異なる次元に関するチャネル測定に関して異なる可能性がある（例えば、異なる測定次元が異なるＣＳＩ試験ポート数を有するなど）ことが理解され得る。したがって、本発明の実施形態によれば、異なるクラスのＣＳＩ−ＲＳをＵＥに送信する際、基地局は、明示的なシグナリングを使用して、各クラスのＣＳＩ−ＲＳの内容（例えば、占有される物理リソースのロケーション、対応するＣＳＩ試験ポートの数など）をＵＥに知らせることが可能である。
【００３６】
図２に戻ると、方法２００は、ステップＳ２０８に進み、基地局が、ＵＥから多次元アンテナ・アレイの異なる次元のチャネル測定フィードバックを受信し、各種類のチャネル測定フィードバックは、対応するクラスのＣＳＩ−ＲＳに応じてＵＥによって生成され、このことは、後段で詳細に説明される。
【００３７】
詳細には、基地局が異なるクラスのＣＳＩ−ＲＳを同一のサブフレーム内でＵＥに同時に送信する場合、ＵＥは、同一のフィードバック伝送期間内に異なる次元のチャネル測定フィードバックを基地局に同時に送信することが可能であることが理解され得る。代替として、基地局が、異なるクラスのＣＳＩ−ＲＳを異なるサブフレーム内で交互にＵＥに送信する場合、ＵＥは、異なる次元のチャネル測定フィードバックを異なるフィードバック期間内に交互にＵＥに供給する。
【００３８】
基地局がＵＥからアンテナ・アレイの異なる次元に関するチャネル測定フィードバックを受信した後、基地局は、そのＵＥに関する多次元プリコーディングを実行することが可能であることが理解され得る。例えば、チャネル測定フィードバックに基づいて、基地局は、ＣＳＩ−ＲＳポートに関する重み付け係数を決定することが可能である。このことは、現在知られている又は将来開発される任意の適切な方法、例えば、強制ゼロ化法（ｚｅｒｏ  ｆｏｒｃｉｎｇ  ｍｅｔｈｏｄ）によって実施されることが可能である。このため、異なる次元においてＣＳＩ−ＲＳポートの少なくとも２つの重み付け係数ベクトルを得ることが可能である。例えば、すべてのアンテナ・ポートの重み付け係数が、得られた垂直重み付け係数列ベクトルと水平重み付け係数行ベクトルの積を解くことによって得られることが可能である。このことは、単に例に過ぎず、本発明の範囲は、これに関して限定されない。
【００３９】
方法２００は、ステップＳ２０８の後、終了する。
【００４０】
本発明の実施形態による基地局側において実施される方法１００および２００を、図１および図２をそれぞれ参照して以上に説明してきた。以降、本発明の実施形態によるユーザ機器（ＵＥ）側で実施される方法を、図４および図５を参照して以下に説明する。
【００４１】
ここで図４を参照すると、この図は、本発明の実施形態によるワイヤレス通信システムにおける多次元アンテナ・アレイのチャネル測定およびチャネル・フィードバックを可能にするための方法４００の流れ図を示す。方法４００は、ユーザ機器（ＵＥ）側で実施される、例えば、ＵＥまたは関連する構成要素によって実施されることが可能である。
【００４２】
方法４００が開始した後、ステップＳ４０２で、ＵＥが、基地局から少なくとも２つのクラスのチャネル状態情報基準信号ＣＳＩ−ＲＳに関する構成情報を受信し、各クラスのＣＳＩ−ＲＳは、基地局において展開される多次元アンテナ・アレイの異なる次元に関するＵＥにおけるチャネル測定において使用されることを目的とする。従来技術とは異なり、ＵＥは、基地局から、単一次元のチャネル測定のための１つだけのクラスのＣＳＩ−ＲＳの構成情報を受信する代わりに、複数のクラスのＣＳＩ−ＲＳの構成情報を受信する。
【００４３】
前述したとおり、各クラスのＣＳＩ−ＲＳに関して、ステップＳ４０２で受信される構成情報は、以下に限定されることなしに、ＣＳＩ−ＲＳを送信するサブフレームに関する情報、例えば、各クラスのＣＳＩ−ＲＳを送信するサブフレームのオフセット、ＣＳＩ−ＲＳの伝送サイクル、チャネル・フィードバックの際に使用されるコードブック、ＣＳＩ−ＲＳによって使用される物理的リソースなどのうちの少なくとも１つを含むことが可能である。
【００４４】
次に、方法４００は、ステップＳ４０４に進み、ＵＥが、多次元アンテナ・アレイの異なる次元に関するチャネル測定を実行し、フィードバックするため、ステップＳ４０２で受信された構成情報に応じて基地局から少なくとも２つのクラスのＣＳＩ−ＲＳを受信する。このようにして、ＵＥは、基地局から受信された異なるクラスのＣＳＩ−ＲＳに従って多次元アンテナ・アレイの異なる次元に関してチャネル測定を実行することが可能である。このため、ＵＥは、より正確であり、より有用である、複数の次元に及ぶチャネル測定フィードバックを基地局に供給することが可能である。
【００４５】
方法４００は、ステップＳ４０４の後、終了する。ＵＥは、基地局から少なくとも２つのクラスのＣＳＩ−ＲＳに関する構成情報を受信しており、各クラスのＣＳＩ−ＲＳは、異なる次元に関するチャネル測定の際に使用されることを目的とする。このようにして、その構成情報に応じて、ＵＥは、異なる次元に関するチャネル測定およびチャネル・フィードバックを実行するように基地局から異なるクラスのＣＳＩ−ＲＳを受信することが可能である。
【００４６】
ここで図５を参照して、ＵＥ側で実行される動作が、より詳細な例示的な実施形態によってさらに示される。図５は、本発明の実施形態によるワイヤレス通信システムにおける多次元アンテナ・アレイのチャネル測定およびチャネル・フィードバックを可能にするための方法５００の流れ図を示す。方法４００と同様に、方法５００もまたＵＥ側で実行される。方法５００は、方法５００の特定の改良された実施形態と見なされることが可能である。
【００４７】
方法５００が開始した後、ＵＥが、ステップＳ５０２で基地局から少なくとも２つのクラスのＣＳＩ−ＲＳの構成を受信し、各クラスのＣＳＩ−ＲＳは、多次元アンテナ・アレイの異なる次元に関するチャネル測定の際に使用されることを目的とする。方法５００のステップＳ５０２は、方法４００のステップＳ４０２に対応するものと理解されることが可能であり、したがって、対応する特徴および詳細をここで詳しく説明することはしない。
【００４８】
前述したとおり、ステップＳ５０２で受信される少なくとも２つのクラスのＣＳＩ−ＲＳに関する構成は、異なるクラスのＣＳＩ−ＲＳが、同一のサブフレーム内で同時に送信されること、または異なるサブフレーム内で交互に送信されることを示すことが可能である。
【００４９】
次に、ステップＳ５０４で、ＵＥが、ステップＳ５０２で受信されたＣＳＩ−ＲＳ構成情報に応じて基地局から異なるクラスのＣＳＩ−ＲＳを受信することが可能である。本発明のいくつかの実施形態によれば、前述したとおり、その構成情報は、異なるクラスのＣＳＩ−ＲＳが同一のサブフレーム内で同時に送信されることを示すことが可能である。この点で、ステップＳ５０２で、ＵＥは、複数のクラスのＣＳＩ−ＲＳを同一のサブフレーム内で同時に受信することが可能である。
【００５０】
代替として、その構成情報は、異なるクラスのＣＳＩ−ＲＳが異なるサブフレーム内で交互に送信されることを示してもよい。この点で、ステップＳ５０２で、ＵＥは、基地局から少なくとも２つのクラスのＣＳＩ−ＲＳを異なるサブフレーム内で交互に受信する。この場合、前述したとおり、その構成情報は、異なるクラスのＣＳＩ−ＲＳの伝送サイクルが同一であることをさらに示すことが可能である。したがって、ＵＥは、その構成情報に応じて基地局から少なくとも２つのクラスのＣＳＩ−ＲＳを同一サイクル内で受信することが可能である。または、その構成情報は、異なるクラスのＣＳＩ−ＲＳの伝送サイクルが異なることを示すことが可能である。したがって、ＵＥは、その構成情報に応じて基地局から少なくとも２つのクラスのＣＳＩ−ＲＳを異なるサイクル内で受信することが可能である。
【００５１】
次に方法５００は、ステップＳ５０６に進み、ＵＥが、基地局から受信された異なるクラスのＣＳＩ−ＲＳに応じて多次元アンテナ・アレイの異なる次元に関するチャネル測定を実行する。例えば、ＵＥは、コードブックを選択することによってプリコーディング行列指示（ＰＭＩ）を使用してチャネル測定を量子化することが可能である。この場合、異なる測定次元のための異なるクラスのＣＳＩ−ＲＳに関して、ＵＥは、異なるコードブックを選択して、チャネル測定中に異なるＰＭＩを生成することが可能である。つまり、異なるコードブックを選択することによって、ＵＥは、各測定次元に関して異なるＰＭＩを生成することが可能であり、したがって、ＣＳＩ量子化は、次元に固有である。このため、多次元アンテナ・アレイに関するチャネル測定は、より正確で、より確実になる。
【００５２】
特定の実施例に関連して、ＵＥにおけるＰＭＩおよびコードブック選択に基づく異なる次元に関するチャネル測定に関する例示的な実施形態の詳細な説明が、以下に提示される。前述したとおり、本発明の実施形態によれば、ＵＥにおける多次元チャネル測定は、異なる次元に関して異なるコードブックを選択することによって完了されることが可能である。本発明の実施形態によれば、異なる次元に関するコードブックは、異なるコードワード・サブセット制約に応じて共通のコードブックから導き出されることが可能である。
【００５３】
例えば、既存の標準は、水平ＣＳＩチャネル測定および水平ＣＳＩチャネル・フィードバックのために使用されるコードブックを定義していることが知られている。本発明者らは、アンテナ信号に関して、その他の次元における角度の広がり（ａｎｇｌｅ  ｓｐｒｅａｄ）（例えば、垂直次元における仰角変化）が、一般に、水平次元における角度の広がりと比べて、はるかに小さいことを見出した。その結果、本発明の実施形態によれば、その他の次元におけるチャネル測定のためのコードブックは、対応するコードワード・サブセット制約を適用することによって、水平次元におけるチャネル測定のためのコードブックから導き出されることが可能である。このようにして、既存のシステムとの良好な適合性を保つとともに、既存のシステムの変更を可能な限り小さくすることが可能である。
【００５４】
ここで、垂直チャネル測定のためのコードブックの特定の例を考慮されたい。本発明の実施形態によれば、多次元アンテナ・アレイに関する垂直チャネル測定のためのコードブックは、共通のコードブックからの、離散フーリエ変換（ＤＦＴ）コードブックに準拠するコードブック・サブセットであることが可能である。一般的に言って、ＤＦＴコードブックは、垂直ＣＳＩ測定および垂直ＣＳＩフィードバックのために使用されることが可能である。本発明の実施形態によれば、ＮＶ−ＣＳＩ−ＲＳ個の垂直ＣＳＩ−ＲＳポートおよび２ｃｂ＿ｂｉｔｓのコードブック・サイズの場合の完全なコードブック（
【数１】
2014531144.tif 000003
で表される）は、以下のとおり定義され得る。
【００５５】
【数２】
2014531144.tif 000004
ただし、
【数３】
2014531144.tif 000005
ただし、ｊは、虚数単位（すなわち、ｊ＝ｓｑｒｔ（−１））を表し、ｉは、コードブックの中のコードワード・インデックスを表す。
【００５６】
本発明のさらなる実施形態によれば、測定オーバーヘッドおよびフィードバック・オーバーヘッドを低減するために、完全なコードブック
【数４】
2014531144.tif 000006
のサイズは、適切なコードワード・サンプリングによって絞られることが可能である。例えば、それぞれ、ｃｂ＿ｂｉｔｓ−１ビットおよびｃｂ＿ｂｉｔｓ−２ビットというコードブック・サイズを有する縮小された２つのコードブックを以下のとおり定義することが可能である。
【００５７】
【数５】
2014531144.tif 000007
【数６】
2014531144.tif 000008
【００５８】
このため、基地局および特定の適用環境から受信される垂直測定のためのＣＳＩ−ＲＳに応じて、ＵＥは、チャネル測定のために完全なコードブック、または縮小されたコードブックのうちの１つを選択することが可能である。本発明者らは、基地アンテナ要素（ｂａｓｅ  ａｎｔｅｎｎａ  ｅｌｅｍｅｎｔ）とＵＥの間の仰角の分解能は、基地局におけるアンテナ要素間の間隔が大きくなるにつれ、小さくなることを見出した。したがって、小さい角度の分解能粒度の必要性が存在しない場合、式（３）および式（４）における縮小されたコードブックが、フィードバック・オーバーヘッドを低減するのに使用されることが可能である。
【００５９】
詳細には、ＬＴＥ−Ａの脈絡において、２つの垂直アンテナ・ポートが存在する場合、ＬＴＥ−Ａ規格において定義されたコードブックは、実際には、式（１）および式（２）において定義されたコードブックと合致する。このため、この場合、既存のＬＴＥ−Ａ  Ｒ１０コードブック（２ビット、単一の層）が、垂直ＣＳＩ測定および垂直ＣＳＩフィードバックのために使用され得る。
【００６０】
４つの垂直アンテナ・ポートの場合、ＬＴＥ−Ａ  Ｒ１０コードブックおよびＬＴＥ−Ａ  Ｒ１０コードワードの位相特性を調べることを介して、既存のＬＴＥ−Ａコードブックの合計１６のコードワードのうち、８つのコードワードが仰角情報を含むことが見出される。これら８つのコードワードは、実際には、完全なＤＦＴコードブックのコードワード・サンプリングであり、式（３）において定義されるＤＦＴコードブック
【数７】
2014531144.tif 000009
の８つのコードワードに対応することがさらに見られる。このため、水平測定のための既存のコードブックが、既存のＬＴＥ−Ａ  Ｒ１０コードブックに適切なコードワード・サブセット制約を適用することによって垂直測定のために使用され得る。
【００６１】
実際には、８つの垂直アンテナの事例は、かなり稀である。この場合でさえ、４つだけの垂直ＣＳＩ−ＲＳポート（隣接する４つの垂直アンテナ・ポートにマップされる）を構成し、垂直拡張を介してすべての垂直アンテナ・ポートを使用して基地局における３次元プリコーディングを実施することが可能である。
【００６２】
図５に戻ると、次に、方法５００は、ステップＳ５０８に進み、ＵＥが、ステップＳ５０６で生成された少なくとも２つの次元に関するチャネル測定フィードバックを基地局に送信する。ステップＳ５０４で、ＵＥが複数のクラスのＣＳＩ−ＲＳを同一のサブフレーム内で同時に受信した場合、その後、ステップＳ５０８で、ＵＥは、異なる複数の次元に関するチャネル測定フィードバック（例えば、複数の次元に関するＰＭＩ）を単一のフィードバック伝送期間内に基地局に同時に送信することが可能であることが理解され得る。逆に、ステップＳ５０４で、ＵＥが、複数のクラスのＣＳＩ−ＲＳを異なるサブフレーム内で交互に受信した場合、その後、ステップＳ５０８で、ＵＥは、異なる次元に関するチャネル測定フィードバックを異なるフィードバック伝送期間内にやはり交互に送信することが可能である。
【００６３】
方法５００は、ステップＳ５０８の後、終了する。
【００６４】
ここで図６を参照すると、この図は、本発明の例示的な実施形態によるワイヤレス通信システムにおける多次元アンテナ・アレイのチャネル測定およびチャネル・フィードバックを可能にするための装置のブロック図を示す。本発明の実施形態によれば、装置６００は、ワイヤレス通信システムにおける基地局に存在すること、またはそれ以外で基地局に関連付けられていることが可能である。詳細には、装置６００は、前述した方法１００および２００を実施するように構成され得る。
【００６５】
図６に示されるとおり、本発明の実施形態によれば、装置６００は、少なくとも２つのクラスのチャネル状態情報基準信号ＣＳＩ−ＲＳのために使用される構成情報を生成するための構成情報生成手段６０２を備え、当該少なくとも２つのクラスのＣＳＩ−ＲＳのそれぞれは、ユーザ機器におけるチャネル測定の際に多次元アンテナ・アレイの異なる次元のために使用されることを目的とする。装置６００は、構成情報をユーザ機器に送信するための構成情報送信手段６０４をさらに備え、したがって、ユーザ機器は、その構成情報に基づいて少なくとも２つのクラスのＣＳＩ−ＲＳを受信する。
【００６６】
本発明のいくつかの実施形態によれば、装置６００は、その構成情報に応じて少なくとも２つのクラスのＣＳＩ−ＲＳをユーザ機器に送信するための基準信号送信手段（図示せず）をさらに備えることが可能である。
【００６７】
本発明のいくつかの実施形態によれば、構成情報生成手段６０２は、少なくとも２つのクラスのＣＳＩ−ＲＳが同一のサブフレーム内でユーザ機器に同時に送信されるべきことを示す構成情報を生成するための第１の生成手段を備えることが可能である。代替として、またはさらに、構成情報生成手段６０２は、少なくとも２つのクラスのＣＳＩ−ＲＳが異なるサブフレーム内で交互にユーザ機器に送信されるべきことを示す構成情報を生成するための第２の生成手段を備えることが可能である。
【００６８】
本発明のいくつかの実施形態によれば、第２の生成手段は、少なくとも２つのクラスのＣＳＩ−ＲＳが同一のサイクル内の異なるサブフレーム内でユーザ機器に送信されることを示す構成情報を生成するための第３の生成手段を備えることが可能である。代替として、またはさらに、第２の生成手段は、少なくとも２つのクラスのＣＳＩ−ＲＳが異なるサイクル内の異なるサブフレーム内でユーザ機器に送信されることを示す構成情報を生成するための第４の生成手段を備えることが可能である。
【００６９】
本発明の実施形態によれば、装置６００によって処理される少なくとも２つのクラスのＣＳＩ−ＲＳは、多次元アンテナ・アレイに関してユーザ機器において行われる水平チャネル測定のための第１のクラスのＣＳＩ−ＲＳと、多次元アンテナ・アレイに関してユーザ機器において行われる垂直チャネル測定のための第２のクラスのＣＳＩ−ＲＳとを備えることが可能である。
【００７０】
さらに、本発明のいくつかの実施形態によれば、装置６００は、ユーザ機器から、多次元アンテナ・アレイの異なる次元に関するチャネル測定フィードバックを受信するためのフィードバック受信手段（図示せず）をさらに備えることが可能である。
【００７１】
前述したとおり、図６に示される装置６００は、前述した方法１００および２００の実行エンティティとして機能することが可能である。したがって、ここで詳細に説明することはしない、図１および図２を参照して説明される様々な特徴はすべて装置６００に当てはまる。
【００７２】
ここで図７を参照すると、この図は、本発明の例示的な実施形態によるワイヤレス通信システムにおける多次元アンテナ・アレイのチャネル測定およびチャネル・フィードバックを可能にするための装置７００のブロック図を示す。本発明の実施形態によれば、装置７００は、ワイヤレス通信システムにおけるユーザ機器（ＵＥ）に存在すること、またはそれ以外でＵＥに関連付けられていることが可能である。詳細には、装置７００は、前述した方法４００および方法５００を実施するように構成されることが可能である。
【００７３】
図７に示されるとおり、本発明の実施形態によれば、装置７００は、基地局から、少なくとも２つのクラスのチャネル状態情報基準信号ＣＳＩ−ＲＳのために使用される構成情報を受信するための構成情報受信手段７０２を備え、当該少なくとも２つのクラスのＣＳＩ−ＲＳは、多次元アンテナ・アレイの異なる次元に関するチャネル測定の際に使用される。装置７００は、多次元アンテナ・アレイの異なる次元に関するチャネル測定を実行し、フィードバックするために、その構成情報に応じて基地局からその少なくとも２つのクラスのＣＳＩ−ＲＳを受信するための基準信号受信手段７０４をさらに備える。チャネル測定の実際の実行は、必ずしも装置７００によって実施されるわけではなく、ＵＥ側の他の装置または構成要素によって実施されてもよいことに留意されたい。
【００７４】
本発明のいくつかの実施形態によれば、基準信号受信手段７０４は、その構成情報に応じて基地局からその少なくとも２つのクラスのＣＳＩ−ＲＳを同一のサブフレーム内で同時に受信するための第１の基準信号受信手段を備えることが可能である。代替として、又は、追加で、基準信号受信手段７０４は、その構成情報に応じて基地局からその少なくとも２つのクラスのＣＳＩ−ＲＳを異なるサブフレーム内で交互に受信するための第２の基準信号受信手段を備えることが可能である。
【００７５】
本発明のいくつかの実施形態によれば、第２の基準信号受信手段は、その構成情報に応じて基地局からその少なくとも２つのクラスのＣＳＩ−ＲＳを同一サイクル内の異なるサブフレーム内で受信するための第３の基準信号受信手段を備えることが可能である。代替として、又は、追加で、第２の基準信号受信手段は、その構成情報に応じて基地局からその少なくとも２つのクラスのＣＳＩ−ＲＳを異なるサイクル内の異なるサブフレーム内で受信するための第４の基準信号受信手段を備えることが可能である。
【００７６】
本発明の実施形態によれば、装置７００によって処理される少なくとも２つのクラスのＣＳＩ−ＲＳは、多次元アンテナ・アレイに関してユーザ機器において行われる水平チャネル測定のための第１のクラスのＣＳＩ−ＲＳと、多次元アンテナ・アレイに関してユーザ機器において行われる垂直チャネル測定のための第２のクラスのＣＳＩ−ＲＳとを少なくとも備えることが可能である。
【００７７】
さらに、本発明のいくつかの実施形態によれば、装置７００は、多次元アンテナ・アレイの異なる次元に関するチャネル測定フィードバックを基地局に送信するための測定フィードバック手段をさらに備えることが可能である。
【００７８】
本発明のいくつかの実施形態によれば、多次元アンテナ・アレイの異なる次元に関するチャネル測定は、異なるコードブックを選択することによって実施される。詳細には、異なる次元に関するチャネル測定のために使用される対応するコードブックは、異なるコードワード・サブセット制約に応じて共通のコードブックに基づき導き出される。さらに、垂直チャネル測定のために使用されるコードブックは、共通のコードブックからの、離散フーリエ変換（ＤＦＴ）コードブックに準拠するコードブック・サブセットである。
【００７９】
前述したとおり、図７に示される装置７００は、前述した方法４００および方法５００の実行エンティティとして使用されることが可能である。したがって、ここで詳細に説明することはしない、図４および図５を参照して説明される様々な特徴はすべて装置７００に当てはまる。
【００８０】
装置６００および装置７００の手段の分割は、限定するものではなく、例示的であるものと理解されたい。例えば、前述した単一の手段の機能が、複数の手段によって実行されてもよい。代わりに、前述した複数の手段が、単一の手段によって実施されてもよい。本発明の範囲は、これに関して限定されない。
【００８１】
装置６００および７００に備えられた手段および部分的手段は、ソフトウェア、ハードウェア、ファームウェア、またはそれらの組み合わせを含め、様々な形態で実装され得るものとさらに理解されたい。例えば、いくつかの実施形態において、装置６００および装置７００の各手段は、ソフトウェア・モジュールおよび／またはファームウェア・モジュールを使用して実装されることが可能である。代替として、またはさらに、装置６００および装置７００の各手段は、ハードウェア・モジュールを使用して実装されてもよい。例えば、装置６００および装置７００の各手段は、集積回路（ＩＣ）チップまたは特定用途向け集積回路（ＡＳＩＣ）として実装されることが可能である。また、装置６００および装置７００の各手段は、システム・オン・チップ（ＳＯＣ）として実装されてもよい。また、現在、知られている、または将来、開発される他の形態も実現可能である。本発明の範囲は、これに関して限定されない。
【００８２】
本発明の原理および趣旨が、いくつかの例示的な実施形態に関連して以上に説明されてきた。本発明の実施形態によれば、多次元アンテナ・アレイに関するチャネル測定の精度を効果的に高め、測定フィードバック・オーバーヘッドを低減し、さらに既存の標準および既存のシステムが可能な限り変更されないようにすることが可能である。したがって、ワイヤレス通信システムの性能が効率的に向上させられることが可能である。
【００８３】
これらの図中の流れ図およびブロック図は、本発明の様々な実施形態によるシステム、方法、およびコンピュータ・プログラム製品の可能な実施例のアーキテクチャ、機能、および動作を示す。これに関して、流れ図またはブロック図中の各ブロックは、指定された（複数の）論理機能を実施するための１つまたは複数の実行可能命令を備えるコードのモジュール、セグメント、または部分を表すことが可能である。また、いくつかの代替の実施例において、ブロックに記載される機能は、図に記載される順序を外れて行われてもよいことにも留意されたい。例えば、連続して示される２つのブロックが、実際には、実質的に同時に実行されてもよく、またはそれらのブロックが、関与する機能に依存して、ときとして、逆の順序で実行されてもよい。また、ブロック図および／または流れ図の各ブロック、ならびにブロック図および／または流れ図におけるブロックの組み合わせは、指定された機能もしくは動作を実行する専用ハードウェア・ベースのシステム、または専用ハードウェアとコンピュータ命令の組み合わせによって実施され得ることにも留意されたい。本発明の図および実施形態は、本発明の保護範囲を限定するのではなく、単に例示を目的としていることを理解されたい。
【００８４】
さらに、ブロック図および／または流れ図の各ブロック、ならびにそのようなブロックの組み合わせは、指定された機能もしくは動作を実行するハードウェア・ベースのシステムによって、または特定のハードウェアとコンピュータ命令の組み合わせによって実施されることが可能である。本明細書で説明される図および実施形態は、本発明の範囲を限定することなしに、単に例示を目的としていることが認識されよう。
【００８５】
本発明で開示される方法は、ソフトウェアで、ハードウェアで、またはソフトウェアとハードウェアの組み合わせで実施され得る。ハードウェア部分は、専用の論理の使用によって実装されることが可能であり、ソフトウェア部分は、メモリの中に格納されて、マイクロプロセッサ、パーソナル・コンピュータ（ＰＣ）、またはメインフレーム・コンピュータなどの適切な命令実行システムによって実行されることが可能である。好ましい実施形態において、本発明は、限定なしに、ファームウェア、常駐ソフトウェア、マイクロコードなどを含むソフトウェアとして実施される。
【００８６】
さらに、本発明の実施形態は、コンピュータによって使用される、またはコンピュータもしくは任意の命令実行システムによって、もしくは関連して使用されるようにプログラム・コードを提供するコンピュータ可読媒体によってアクセス可能なコンピュータ・プログラム製品として実施されることが可能である。説明の目的で、コンピュータによって使用可能な媒体、もしくはコンピュータ可読媒体は、命令実行システム、命令実行装置、または命令実行デバイスによって、もしくは関連して使用されるようにプログラムを含むこと、格納すること、通信すること、伝搬すること、またはトランスポートすることができる任意の実体のある手段であることが可能である。
【００８７】
この媒体は、電気、磁気、光、電磁、赤外線、または半導体のシステム（装置もしくはデバイス）、または伝搬媒体であることが可能である。コンピュータ可読媒体の例には、以下、すなわち、半導体ストレージ・デバイスもしくはソリッド・ストレージ・デバイス、磁気テープ、ポータブル・コンピュータ・ディスケット、ランダム・アクセス・メモリ（ＲＡＭ）、読み取り専用メモリ（ＲＯＭ）、ハードディスク、および光ディスクが含まれる。現行の光ディスクの例には、コンパクト・ディスク読み取り専用メモリ（ＣＤ−ＲＯＭ）、書き込み／読み取りコンパクト・ディスク（ＣＤ−ＲＯＭ）、およびＤＶＤが含まれる。
【００８８】
本発明の実施形態によるプログラム・コードを格納するため、および／または実行するために適応させられたシステムは、直接に、またはシステム・バスを介してメモリ要素に結合された少なくとも１つのプロセッサを含む。メモリ要素には、プログラム・コードを実際に実行している最中に使用可能なローカル・メモリ、大容量メモリ、および実行中に大容量メモリからコードを取り出す回数を減らすようにプログラム・コードの少なくとも一部分の一時的な格納を可能にするキャッシュが含まれ得る。
【００８９】
入出力デバイス、つまりＩ／Ｏデバイス（限定なしに、キーボード、ディスプレイ、ポインティング・デバイスなどを含む）が、直接に、または介在するＩ／Ｏコントローラを介してシステムに結合されることが可能である。
【００９０】
また、介在するプライベート・ネットワークもしくは公共ネットワークを介してデータ処理システムが他のデータ処理システム、遠隔プリンタ、またはストレージ・デバイスに結合され得るように、ネットワーク・アダプタがシステムに結合されることも可能である。モデム、ケーブル・モデム、およびイーサネット・カードが、現在、利用可能なネットワーク・アダプタの単なる例である。
【００９１】
当業者に公に知られており、本発明の実施に不可欠である可能性があるいくつかのさらなる特定の技術的詳細は、本発明がより容易に理解されるようにするように前段の説明では省かれていることに留意されたい。
【００９２】
本発明の詳細は、例示および説明の目的で提示されており、網羅的であることも、開示される形態に本発明を限定することも意図していない。多くの変形形態および変更形態が当業者には明らかとなろう。
【００９３】
したがって、実施形態は、本発明の原理、および実際的な応用を最もよく説明するように、さらに本発明の趣旨を逸脱することなく行われるすべての変形および変更が、添付の特許請求の範囲において規定される本発明の保護範囲に含まれることを他の当業者が理解できるようにするように選択され、説明されている。
【図１】
2014531144.tif 000010
【図２】
2014531144.tif 000011
【図３Ａ】
2014531144.tif 000012
【図３Ｂ】
2014531144.tif 000013
【図４】
2014531144.tif 000014
【図５】
2014531144.tif 000015
【図６】
2014531144.tif 000016
【図７】
2014531144.tif 000017
【国際調査報告】
2014531144.tif 000018
2014531144.tif 000019